(57)【要約】【課題】信号処理の高速化、または、特殊若しくは新フォーマットへの対応を容易にする。【解決手段】変調処理記憶部１３０には、光ディスクの原盤３２０の作成に必要な変調処理プログラムが予め記憶されている。光ディスクマスタ３１０に記録された情報データが、情報再生部１１０により再生されて、変調制御部１２０に出力される。変調制御部１２０は、変調信号処理プログラムに従って、再生された情報データに対して変調信号処理を施し、データストリームを生成し、必要に応じて、変調情報記憶部１４０に記憶する。その時点で作成されたデータストリームまたは変調情報記憶部１４０に記憶されたデータストリームは、変調制御部１２０により変調信号出力部１５０へ出力され、所定のクロックで変調信号出力部１５０によりレーザービームレコーダ２００に出力される。本発明は、光ディスクの生成技術に適用可能である。【選択図】図１
2007323807.tif 000002
【特許請求の範囲】
【請求項１】
光ディスクの原盤作成用の変調信号を発生させる変調信号発生装置において、
前記光ディスクの原盤に記録される所定の情報データが記録されているマスタメディアから、前記所定の情報データを読み出して再生する情報再生手段と、
変調処理プログラムが記憶された変調処理記憶手段と、
前記情報再生手段により再生された所定の情報データに前記変調処理プログラムに従った変調信号処理を施して変調信号データストリームを生成する変調制御手段と、
前記変調制御手段により生成された変調信号データストリームを所定のクロックで出力する変調信号出力手段とを有し、
前記変調処理記憶手段に記憶された前記変調処理プログラムは、インターリーブ処理プログラム、Ｒｅｅｄ−Ｓｏｌｏｍｏｎ符号の生成処理プログラム、サブコード生成処理プログラム、８−１４変調処理プログラム、ＤＳＶ処理プログラムを有し、
前記変調制御手段は、新フォーマットの処理プログラムを有する
ことを特徴とする光ディスクの原盤作成用の変調信号発生装置。
【請求項２】
光ディスクの原盤作成用の変調信号を発生させる変調信号発生装置において、
前記光ディスクの原盤に記録される所定の情報データが記録されているマスタメディアから、前記所定の情報データを読み出して再生する情報再生手段と、
変調処理プログラムが記憶された変調処理記憶手段と、
前記情報再生手段により再生された所定の情報データに前記変調処理プログラムに従った変調信号処理を施して変調信号データストリームを生成する変調制御手段と、
前記変調制御手段により生成された変調信号データストリームを所定のクロックで出力する変調信号出力手段とを有し、
前記変調処理記憶手段に記憶された前記変調処理プログラムは、インターリーブ処理プログラム、Ｒｅｅｄ−Ｓｏｌｏｍｏｎ符号の生成処理プログラム、サブコード生成処理プログラム、８−１６変調処理プログラム、ＤＳＶ処理プログラムを有し、
前記変調制御手段は、新フォーマットの処理プログラムを有する
ことを特徴とする光ディスクの原盤作成用の変調信号発生装置。
【請求項３】
前記変調制御手段により生成された前記変調信号データストリームを記憶する変調情報記憶手段をさらに有しており、
前記変換制御手段は、さらに、前記生成した変調信号データストリームを前記変調情報記憶手段に記憶させるとともに、必要に応じて前記変調情報記憶手段に記憶された変調信号データストリームを読み出して前記変調信号出力手段へ出力させる
ことを特徴とする請求項１または２に記載の光ディスクの原盤作成用の変調信号発生装置。
【請求項４】
前記変調処理記憶手段に記憶された前記変調処理プログラムは、変調信号処理を構成する任意の処理単位のプログラムから構成されており、
前記変調処理記憶手段に記憶される変調処理プログラムは、必要に応じて変更される
ことを特徴とする請求の範囲項１または２に記載の光ディスクの原盤作成用の変調信号発生装置。
【請求項５】
前記変調制御手段は、前記マスタメディアに記録された所定の情報データに応じて前記変調処理プログラムを選択し、前記選択した変調処理プログラムに従って変調信号処理を行なう
ことを特徴とする請求項１または２に記載の光ディスクの原盤作成用の変調信号発生装置。
【請求項６】
光ディスクの原盤を作成する際に変調信号を発生させる光ディスクの原盤作成用の変調信号発生方法において、
情報データを所定のフォーマットの変調信号データストリームに変換する変調信号処理を実行するための変調処理プログラムを変調処理記憶手段に予め記録しておく記録ステップと、
前記光ディスクの原盤に記録する所定の情報データが記録されているマスタメディアの全情報領域から、前記所定の情報データを読み出して再生する再生ステップと、
前記変調処理プログラムに従って前記再生された所定の情報データに変調処理を施して変調信号データストリームを生成する生成ステップと、
前記変調信号データストリームを所定のクロックで出力する出力ステップと
を含み、
前記変調処理プログラムは、インターリーブ処理プログラム、Ｒｅｅｄ−Ｓｏｌｏｍｏｎ符号の生成処理プログラム、サブコード生成処理プログラム、８−１４変調処理プログラム、ＤＳＶ処理プログラムを有し、
前記生成ステップは、新フォーマットの処理を追加するステップを有する
ことを特徴とする光ディスクの原盤作成用の変調信号発生方法。
【請求項７】
光ディスクの原盤を作成する際に変調信号を発生させる光ディスクの原盤作成用の変調信号発生方法において、
情報データを所定のフォーマットの変調信号データストリームに変換する変調信号処理を実行するための変調処理プログラムを変調処理記憶手段に予め記録しておく記録ステップと、
前記光ディスクの原盤に記録する所定の情報データが記録されているマスタメディアの全情報領域から、前記所定の情報データを読み出して再生する再生ステップと、
前記変調処理プログラムに従って前記再生された所定の情報データに変調処理を施して変調信号データストリームを生成する生成ステップと、
前記変調信号データストリームを所定のクロックで出力する出力ステップと
を含み、
前記変調処理プログラムは、インターリーブ処理プログラム、Ｒｅｅｄ−Ｓｏｌｏｍｏｎ符号の生成処理プログラム、サブコード生成処理プログラム、８−１６変調処理プログラム、ＤＳＶ処理プログラムを有し、
前記生成ステップは、新フォーマットの処理を追加するステップを有する
ことを特徴とする光ディスクの原盤作成用の変調信号発生方法。
【発明の詳細な説明】
【技術分野】
【０００１】
本発明は、光ディスクの原盤作成用の変調信号発生装置に関し、特に、光ディスクの原盤を作成する際に変調信号を発生させる光ディスクの原盤作成用の変調信号発生装置に関する。
【背景技術】
【０００２】
一般に、光ディスク、例えばＣＤ（Ｃｏｍｐａｃｔ Ｄｉｓｋ）、ＭＤ（Ｍｉｎｉ Ｄｉｓｋ）、ＤＶＤ（Ｄｉｇｉｔａｌ Ｖｅｒｓａｔｉｌｅ Ｄｉｓｋ）等の原盤を作成する場合には、光ディスクの原盤作成システムは、デジタル情報の記録再生を確実にするため、記録する所定の情報データに誤り訂正 や変調処理を行う。図５は、従来の光ディスクの原盤作成システムの構成図である。これは、光ディスクがＣＤの場合の原盤作成システムであり、ＣＤの場合には、いわゆるＥＦＭ（Ｅｉｇｈｔ ｔｏ Ｆｏｕｒｔｅｅｎ Ｍｏｄｕｌａｔｉｏｎ）信号方式が採用されている。
【０００３】
光ディスクマスタ３１０には、光ディスクの原盤３２０に記録する所定の情報データが記録されている。変調信号発生装置であるＥＦＭ信号発生装置４００は、読 み取りドライブ４１０によって光ディスクマスタ３１０に記録されている情報データを第１信号処理部４２０へ読み込む。第１信号処理部４２０は、第２信号処 理部４３０へ読み込んだ情報データを送り、必要な変調処理を指示する。
【０００４】
第２信号処理部４３０は、ＥＣＣ（Ｅｒｒｏｒ Ｃｏｒｒｅｃｔｉｏｎ Ｃｏｄｅ）／ＥＤＣ（Ｅｒｒｏｒ Ｄｅｔｅｃｔｉｏｎ Ｃｏｄｅ）スクランブル部４３１、ＣＩＲＣ（Ｃｒｏｓｓ Ｉｎｔｅｒｌｅａｖｅ Ｒｅｅｄ−Ｓｏｌｏｍｏｎ Ｃｏｄｅ）部４３２、及び８−１４変換ＤＳＶ（Ｄｉｇｉｔａｌ Ｓｕｍ Ｖａｌｕｅ）部４３４等からなる専用ＩＣまたはハードウエアロジックで構成されており、第１信号処理部４２０から送られてきた元データに必要な信号処理を 施し、変調した信号をＥＦＭ出力部４４０へ出力する。第２信号処理部４３０で行なわれる信号処理には、ＥＣＣの生成処理、ＥＤＣの生成処理、データのスク ランブル処理、ＣＩＲＣの生成処理、８−１４変換処理、ＣＤのサブコードの生成処理、ＤＳＶの最適化処理、および、インターリーブ処理等がある。第２信号 処理部４３０により変調された信号は、ＥＦＭ出力部４４０を経由してレーザービームレコーダ２００に送られ、光ディスクの原盤３２０が作成される。
【発明の開示】
【発明が解決しようとする課題】
【０００５】
しかし、従来の変調信号発生装置は、信号処理の速度や対応するフォーマットの変更が容易ではないという問題がある。
【０００６】
近年、レーザービームレコーダ２００から出力されるレーザー光の発振周期を短くするとともに、カッティングされる光ディスクの原盤３２０の回転速度を上げる ことによって、原盤作成時間の短縮が図られている。このためには、変調信号処理の高速化が必要である。しかしながら、従来の変調信号発生装置では、信号処理を専用のＩＣやハードウエアロジックで行なっているため、変調信号の出力周期を変更するためには新たに専用ＩＣを用意しなければならなかった。新たな専 用ＩＣの開発には、相当の開発期間とコストが必要となる等、信号処理の高速化は容易ではなかった。
【０００７】
また、近年では、変調信号のフォーマットを特殊 なフォーマットとすることにより、変調信号に所定の情報を付加する手法が数多く提案されている。例えば、光ディスクの不正コピー防止を目的とした付加情報 を変調信号に組み込む手法がある。さらに、ＣＤの記録密度を倍にするフォーマット等、新フォーマットへ対応する必要も生じてきている。しかしながら、従来 の変調信号発生装置では、対応するフォーマットが固定であり、変更は容易ではなかった。
【０００８】
本発明はこのような点に鑑みてなされたものであり、信号処理の高速化、あるいは特殊フォーマットや新フォーマットへの対応が容易な光ディスクの原盤作成用の変調信号発生装置及びその変調信号発生方法を提供することを目的とする。
【課題を解決するための手段】
【０００９】
本発明の光ディスクの原盤作成用の変調信号発生装置は、光ディスクの原盤に記録される所定の情報データが記録されているマスタメディアから、所定の情報データを読み出して再生する情報再生手段と、変調処理プログラムが記憶された変調処理記憶手段と、情報再生手段により再生された所定の情報データに変調処理プログラムに従った変調信号処理を施して変調信号データストリームを生成する変調制御手段と、変調制御手段により生成された変調信号データストリームを所定 のクロックで出力する変調信号出力手段とを有し、変調処理記憶手段に記憶された変調処理プログラムは、インターリーブ処理プログラム、Ｒｅｅｄ−Ｓｏｌｏｍｏｎ符号の生成処理プログラム、サブコード生成処理プログラム、８−１４変調処理プログラム、ＤＳＶ処理プログラムを有し、前記変調制御手段は、新フォーマットの処理プログラムを有することを特徴とする。
【００１０】
また、本発明の光ディスクの原盤作成用の変調信号発生装置は、光ディスクの原盤に記録される所定の情報データが記録されているマスタメディアから、所定の情報データを読み出して再生する情報再生手段と、変調処理プログラムが記憶された変調処理記憶手段と、情報再生手段により再生された所定の情報データに変調処理プログラムに従った変調信号処理を施して変調信号データストリームを生成する変調制御手段と、変調制御手段により生成された変調信号データストリームを所定のクロックで出力する変調信号出力手段とを有し、変調処理記憶手段に記憶された変調処理プログラムは、インターリーブ処理プログラム、Ｒｅｅｄ−Ｓｏｌｏｍｏｎ符号の生成処理プログラム、サブコード生成処理プログラム、８−１６変調処理プログラム、ＤＳＶ処理プログラムを有し、変調制御手段は、新フォーマットの処理プログラムを有することを特徴とする。
【００１１】
変調制御手段により生成された変調信号データストリームを記憶する変調情報記憶手段をさらに設けており、変換制御手段は、さらに、生成した変調信号デー タストリームを変調情報記憶手段に記憶させるとともに、必要に応じて変調情報記憶手段に記憶された変調信号データストリームを読み出して変調信号出力手段へ出力させるようにすることができる。
【００１２】
変調処理記憶手段に記憶された変調処理プログラムは、変調信号処理を構成する任意の処理単位のプログラムから構成されており、変調処理記憶手段に記憶される変調処理プログラムは、必要に応じて変更されるようにすることができる。
【００１３】
変調制御手段は、マスタメディアに記録された所定の情報データに応じて変調処理プログラムを選択し、選択した変調処理プログラムに従って変調信号処理を行なうようにすることができる。
【００１４】
本発明の光ディスクの原盤作成用の変調信号発生方法は、情報データを所定のフォーマットの変調信号データストリームに変換する変調信号処理を実行するための 変調処理プログラムを変調処理記憶手段に予め記録しておく記録ステップと、光ディスクの原盤に記録する所定の情報データが記録されているマスタメディアの 全情報領域から、前記所定の情報データを読み出して再生する再生ステップと、変調処理プログラムに従って前記再生された所定の情報データに変調処理を施し て変調信号データストリームを生成する生成ステップと、変調信号データストリームを所定のクロックで出力する出力ステップとを含み、変調処理プログラムは、インターリーブ処理プログラム、Ｒｅｅｄ−Ｓｏｌｏｍｏｎ符号の生成処理プログラム、サブコード生成処理プログラム、８−１４変調処理プログラム、ＤＳＶ処理プログラムを有し、生成ステップは、新フォーマットの処理を追加するステップを有することを特徴とする。
【００１５】
本発明の光ディスクの原盤作成用の変調信号発生装置および変調信号発生方法において、情報データを所定のフォーマットの変調信号データストリームに変換する変調信号処理を実行するための変調処理プログラムとして、インターリーブ処理プログラム、Ｒｅｅｄ−Ｓｏｌｏｍｏｎ符号の生成処理プログラム、サブコード生成処理プログラム、８−１４変調処理プログラム、ＤＳＶ処理プログラムを含むプログラムが変調処理記憶手段に予め記憶される。次に、光ディスクの原盤に記録する所定の情報データが記録されているマスタメディアの全情報領域から所定の情報データが読み出されて、再生される。再生された所定の情報データは、変調処理記憶手段に記憶された変調処理プログラムに従って変調信号処理が施され、変調信号データストリームが生成される。続いて、変調信号データストリームが所定のクロックで出力されて、所望の変調信号が発生される。また、変調信号データストリームの生成の際、新フォーマットの処理が追加される。
【発明の効果】
【００１６】
本発明によれば、光ディスクの原盤に記録する情報データを変調信号のフォーマットに変換する変調処理プログラムを予め装置内に記憶しておき、この変調処理プログラムに従って情報データの変調処理を行なうため、変 調処理プログラムを変更すれば多種類のフォーマットへの対応、あるいは新フォーマットや特殊フォーマットへの対応が容易に可能となる。また、専用のＩＣや ハードロジックの変更を必要としないため、変調信号発生装置を安価に構成することができる。
【発明を実施するための最良の形態】
【００１７】
以下、本発明の実施の形態を図面を参照して説明する。なお、以下に記載する実施形態は、本発明の好適な具体例であり、技術的に好ましい種々の限定が付されているが、本発明の範囲は、これらの形態に限られたものではない。
【００１８】
最初に、本発明に係る光ディスクの原盤作成装置について説明する。図１は、本発明の一実施の形態である光ディスクの原盤作成用の変調信号発生装置の構成図である。
【００１９】
本発明に係る光ディスクの原盤作成用の変調信号発生装置１００は、光ディスクマスタ３１０に記録された情報データを再生する情報再生部１１０、装置全体を制 御するとともに変調処理を制御する変調制御部１２０、変調処理プログラムが記憶された変調処理記憶部１３０、変調信号データストリームを記憶する変調情報 記憶部１４０、及び変調信号を出力する変調信号出力手段である変調信号出力部１５０から構成される。変調信号発生装置１００は、光ディスクマスタ３１０に 記録された情報データを読み出して変調処理を施し、その変調信号をレーザービームレコーダ２００に出力する。
【００２０】
情報再生部１１０は、光ディスクマス タ３１０に記録された所定の情報データを全領域にわたって順次再生し、変調制御部１２０へ送る。マスタの光ディスク３１０は、ＣＤ−Ｒ等のマスタメディア （情報源）であり、光ディスクの原盤３２０に記録する所定の情報データが記録されている。所定の情報データは、音楽データ、映像データ、あるいは、プログ ラム等の任意の情報データである。
【００２１】
変調制御部１２０は、中央演算処理ユニット（ＣＰＵ（Ｃｅｎｔｒａｌ Ｐｒｏｃｅｓｓｉｎｇ Ｕｎｉｔ））等であり、変調処理記憶部１３０に記憶された変調処理プログラムを読み出し、変調処理プログラムに従って情報再生部１１０により再生された情 報データに変調信号処理を施す。変調信号処理により生成された変調信号データストリーム（以下、単にデータストリームと称する）は、変調信号出力部１５０ に出力されるとともに、変調情報記憶部１４０に記憶される。また、同一の光ディスクの原盤３２０が複数枚作成される場合、変調制御部１２０は、初回の光 ディスクの原盤３２０の作成時に生成したデータストリームを変調情報記憶部１４０に記憶しておき、次回以降の光ディスクの原盤３２０の作成時には、変調情 報記憶部１４０に記憶されたデータストリームを読み出し、変調信号出力部１５０へ出力する。
【００２２】
変調処理記憶部１３０は、情報データを所定のフォー マットのデータストリームに変換する変調信号処理を変調制御部１２０に実行させる変調処理プログラムを記憶する記憶装置である。変調信号処理としては、例 えば、ＣＤ用の８−１４変調（以下、ＥＦＭ変調と称する）を行なう場合に必要なインターリーブ（データの並べ替え）処理、Ｒｅｅｄ−Ｓｏｌｏｍｏｎ符号の 生成処理、サブコード生成処理、８−１４変換処理、および、ＤＳＶ処理等、ＥＦＭ変調に必要な処理が各処理内容ごとにモジュール化されている。同様に、 ＤＶＤ用の８−１６変調（以下、ＥＦＭ＋変調と称する）を行なう場合に必要なインターリーブ（データの並べ替え）処理、Ｒｅｅｄ−Ｓｏｌｏｍｏｎ符号の生 成処理、８−１６変換処理、および、ＤＳＶ処理等がモジュール化されている。変調処理記憶部１３０には、必要に応じてこれらの各モジュールが選択されて記 憶されており、変調制御部１２０により随時読み出されることができる。光ディスクの原盤３２０が作成される時、変調処理記憶部１３０は、選択された変調処 理プログラムを記憶することもできる。また、変調処理記憶部１３０は、その記憶容量が十分であれば、複数の変調処理プログラムを記憶しておくこともでき る。この場合、変調制御部１２０は、マスタメディアから読み出した情報等により、変調処理記憶部１３０に記憶された複数の変調処理プログラムのうちの最適 なものを選択するようにすることもできる。さらに、信号処理の高速化、及び特殊なフォーマットや新たなフォーマットに対応するためには、必要となる新たな モジュールが作成されて、変調処理記憶部１３０に追加記憶される。
【００２３】
変調情報記憶部１４０は、変調制御部１２０により生成されたデータストリームを記憶する記憶装置である。記憶されたデータストリームは、変調制御部１２０により読み出されることができる。
【００２４】
変調信号出力部１５０は、変調制御部１２０から出力されるデータストリームを所定のクロックで出力することにより、変調信号を発生させる。変調信号は、レーザービームレコーダ２００に送られる。レーザービームレコーダ２００は、変調信号に応じて光ディスクの原盤３２０のカッティングを行なう。変調信号出力部 １５０から出力される変調信号の基準クロックは、カッティングが行なわれる光ディスクの原盤３２０の回転数に応じて設定される。
【００２５】
このような構成の光ディスクの原盤作成用の変調信号発生装置の動作について説明する。変調処理記憶部１３０には、予め、光ディスクの原盤３２０の作成に必要な変調処理プロ グラムが記憶されている。この変調処理プログラムは、変調信号処理を構成する所定の処理単位ごとにモジュール化されている。マスタメディアである光ディス クマスタ３１０に記録された情報データが、情報再生部１１０により読み出されて、順次再生される。再生された情報データは、変調制御部１２０に出力され る。変調制御部１２０は、変調処理記憶部１３０に記憶された変調信号処理プログラムに従って、再生された情報データに対して変調信号処理を施し、データス トリームを生成する。データストリームは、変調後の情報データのデータファイルとして取り扱われることができ、変調制御部１２０は、必要に応じて、データ ストリームのデータファイルを変調情報記憶部１４０に記憶する。続いて、変調制御部１２０は、データストリームを変調信号出力部１５０へ出力する。出力されるデータストリームは、その時点で作成されたものであっても、変調情報記憶部１４０に記憶されているものであってもよい。変調信号出力部１５０は、デー タストリームを取得し、所定のクロックでレーザービームレコーダ２００に出力する。
【００２６】
上記説明の光ディスクの原盤作成用の変調信号発生装置は、変調信号処理用の専用ＩＣやハードロジックを使用しないため、光ディスクの原盤作成システムを安価に構築することができる。また、変調処理プログラムを変更することにより、多種類のフォーマットに対応することができ、新フォーマットや特殊フォーマットへの対応も容易である。また、ＣＰＵの計算能力により、変調 信号生成のスピードを上げることが可能で、信号処理の高速化にも容易に対応することができる。
【００２７】
さらに、変調されたデータストリームをデータファイ ルとして保存し、再利用することが可能である。複数枚の光ディスクの原盤を作成する場合、初回にデータストリームを生成して記憶しておけば、次回以降これを再利用することが可能であり、光ディスクの原盤作成工程に要する時間を短縮することができる。
【００２８】
次に、本発明に係る光ディスクの原盤作成用変調信号発生方法について説明する。図２は、 本発明の一実施の形態である光ディスクの原盤作成用の変調信号発生方法のフローチャートである。ここでは、上記説明の変調制御部１２０であるＣＰＵが、変調処理記憶部１３０に記憶された変調処理プログラムに従って変調信号を発生させる。また、変調処理記憶部１３０には、ＣＤ用のＥＦＭ変調処理プログラムとＤＶＤ用のＥＦＭ＋変調処理プログラムとが、予め記憶されているものとする。
【００２９】
変調信号処理が開始されると、最初に、ステップＳ１２において、 ＣＰＵは、光ディスクマスタ３１０の元データをチェックし、元データからディスクのフォーマットを判断する。これは、ＣＰＵが、ディスクのフォーマットを判断し、そのフォーマットに適した変調信号処理を行なうためのものであり、例えば、ディスクフォーマットがＣＤやＤＶＤフォーマット、あるいは、その他の新フォーマットや特殊フォーマットであることを判断し、信号処理を変更することができる。
【００３０】
続いて、ステップＳ１３において、ＣＰＵは、元データの長さから、ディスクのプログラム長を取得する。プログラム長は、処理単位ごとに行なわれる後述するステップＳ１４以降の処理が何回繰り返されれば、処理が終了されるかを示す情報である。プログラム長は、後述するステップＳ１８の処理において、ＣＰＵが処理の終了を判断する際に用いられる。
【００３１】
続いて、 ステップＳ１４において、ＣＰＵは、元データから処理単位のデータを取り込む。ＣＰＵは、信号処理するフォーマットごとに、元データから処理のしやすい単位のデータを取り込んでくる。処理単位は、信号処理ルーチンにより定義される。例えば、ＣＤの場合であれば２３５２バイト単位、ＤＶＤの場合であれば １ＥＣＣブロック（３３０２４バイト）単位でデータが取り込まれる。
【００３２】
続いて、ステップＳ１５において、ＣＰＵは、信号処理ルーチンを実行する。信号処理ルーチンでは、ＣＰＵは、フォーマットに適した処理を行い、出力すべきデータストリームを生成する。信号処理ルーチンの詳細の処理については、後述する。信号処理ルーチンは、処理の内容ごとにモジュール化されており、処理すべきフォーマットで信号処理内容が異なることに対応できると同時に、新フォー マットや特殊フォーマットのための処理の追加や入れ替えが可能となっている。
【００３３】
続いて、ステップＳ１６において、ＣＰＵは、必要に応じて、信号処理ルーチン（ステップＳ１５の処理）で生成されたデータストリームを変調情報記憶部１４０に保存する。例えば、そのデータストリームは、光ディスクの原盤 ３２０が複数枚作成される等、データストリームが再利用される場合に、ＨＤＤ（Ｈａｒｄ Ｄｉｓｋ Ｄｒｉｖｅ）等に保存される。この保存されたデータストリームが再利用されるだけで、２枚目以降のカッティングが行なわれることができるので、光ディスク の原盤３２０の作成に要する時間が短縮されることができる。
【００３４】
続いて、ステップＳ１７の処理において、ＣＰＵは、データストリームを変調信号出力部 １５０へ送る。ＣＰＵは、信号処理ルーチン（ステップＳ１５の処理）で生成されたデータストリーム、あるいは、一旦ステップＳ１６の処理で変調情報記憶部 １４０に保存されたデータストリームを読み出して出力する。変調信号出力部１５０で生成されたＥＦＭまたはＥＦＭ＋信号は、レーザービームレコーダ２００ に出力される。
【００３５】
続いて、ステップＳ１８において、ＣＰＵは、プログラム長分の信号を出力したか否かを判定し、プログラム長分の信号を出力したと判 定した場合、その処理を終了し、一方、プログラム長分の信号を出力していないと判定した場合、ステップＳ１４に戻り、それ以降の処理を繰り返す。即ち、 ＣＰＵは、プログラム長分の信号を出力するまでステップＳ１４乃至Ｓ１８の処理を繰り返す。
【００３６】
次に、上述したステップＳ１５の信号処理ルーチンを詳細に説明する。信号処理ルーチンは、処理の内容ごとにモジュール化されており、処理すべきフォーマットで信号処理内容が異なることに対応することができる。さらに、新フォーマットや特殊フォーマットのための処理の追加や入れ替えが可能となっている。
【００３７】
まず、ＣＤに用いられるＥＦＭ変調信号処理について説明する。図３は、本発明の一実施の形態であるＥＦＭ変調の信号処理ルーチンのフローチャートである。
【００３８】
ＥＦＭ変調の信号処理ルーチンは、処理単位のデータが取り込まれた後に呼び出され、処理が開始される。ここで、処理すべきフォーマットは、すでに判断されている。
【００３９】
ステップＳ２２において、ＣＰＵは、インターリーブ（データの並び替え）を行ない、ステップＳ２３において、テーブル変換と計算を施すことにより、ＣＤ用のＲｅｅｄ−Ｓｏｌｏｍｏｎ Ｃｏｄｅのパリティを生成し）、ステップＳ２４において、ＣＤ用のサブコードを生成する。次に、ステップＳ２５において、ＣＰＵは、変換テーブルを用いて ８−１４変換を行ない、ＤＳＶを計算して、マージンビットを決定して挿入し、ＥＦＭデータストリームを生成し、リターンする。
【００４０】
次に、ＤＶＤに用いられるＥＦＭ＋変調の信号処理ルーチンについて説明する。図４は、本発明の一実施の形態であるＥＦＭ＋変調の信号処理ルーチンのフローチャートである。
【００４１】
ＥＦＭ変調の信号処理ルーチンと同様、ＥＦＭ＋変調の信号処理ルーチンは、処理単位のデータが取り込まれた後に呼び出され、処理が開始される。ここで、処理すべきフォーマットは、すでに判断されている。
【００４２】
ステップＳ３２において、ＣＰＵは、ＥＣＣ計算ルーチンを起動し、ＥＣＣ計算ルーチンにより、テーブル変換と計算を施すことにより、ＤＶＤに必要なＲｅｅｄ −Ｓｏｌｏｍｏｎ Ｃｏｄｅのパリティを生成する。続いて、ステップＳ３３の処理において、ＣＰＵは、インターリーブ（データの並び替え）を行ない、ステップＳ３４におい て、ＣＰＵは、変換テーブルを用いて８−１６変換を行ない、ＤＳＶを計算してステートとＳｙｎｃを決定し挿入し、ＥＦＭ＋データストリームを生成し、リターンする。
【００４３】
以上の信号処理ルーチンに、新フォーマットを追加する場合を考える。例えば、データの並べ替えの方法を変更した新フォーマットに対応 させる場合、インターリーブ処理（ステップＳ２２、およびＳ３３の処理）に新フォーマット用の処理を追加する。または、ＣＰＵが、新しいインターリーブ処 理モジュールをステップＳ２２またはＳ３３の処理の代わりに呼び出すことにより実現可能となる。
【００４４】
また、上記の説明では、ＥＦＭ変調信号処理と ＥＦＭ＋変調信号処理とは別の信号処理ルーチンとされているが、各処理はモジュール化されておりインターリーブ等の共通の処理も多いことから、各モジュー ル処理の最初でフォーマットを判断し、処理を分岐させる等の処理をＣＰＵが施すことにより、ＥＦＭ変調信号処理とＥＦＭ＋変調信号処理とを同一の信号処理 ルーチンに混在させることができる。
【００４５】
このように、信号処理ルーチンを構成するモジュールを変更することにより、多種類のフォーマットへの対応や、 新フォーマットや特殊フォーマットへの対応が容易に行なえるようになる。また、変調された信号の保存や再利用が可能となり、光ディスクの原盤作成の工程を短縮することが可能となる。
【００４６】
なお、上記の処理機能は、コンピュータによって実現することができる。その場合、光ディスクの原盤作成用の変調信号発 生装置が有すべき機能の処理内容は、コンピュータで読み取り可能な記録媒体に記録されたプログラムに記述される。そして、このプログラムをコンピュータで 実行することにより、上記処理がコンピュータで実現される。コンピュータで読み取り可能な記録媒体としては、磁気記録装置や半導体メモリ等がある。市場に 流通させる場合には、ＣＤ−ＲＯＭ（Ｃｏｍｐａｃｔ Ｄｉｓｃ Ｒｅａｄ Ｏｎｌｙ Ｍｅｍｏｒｙ）やフロッピー（登録商標）ディスク等の可搬型記録媒体にプログラムを格納して流通させたり、ネットワークを介して接続されたコンピュータの記憶装置に格 納しておき、ネットワークを通じて他のコンピュータに転送することもできる。コンピュータで実行する際には、コンピュータ内のハードディスク装置等にプロ グラムを格納しておき、メインメモリにロードして実行する。
【図面の簡単な説明】
【００４７】
【図１】本発明の一実施の形態である光ディスクの原盤作成用の変調信号発生装置の構成図である。
【図２】本発明の一実施の形態である光ディスクの原盤作成用の変調信号発生方法のフローチャートである。
【図３】本発明の一実施の形態である図２のステップＳ１５のＥＦＭ変調の信号処理ルーチンのフローチャートである。
【図４】本発明の一実施の形態である図２のステップＳ１５のＥＦＭ＋変調の信号処理ルーチンのフローチャートである。
【図５】従来の光ディスクの原盤作成システムの構成図である。
【図１】
2007323807.tif 000003
【図２】
2007323807.tif 000004
【図３】
2007323807.tif 000005
【図４】
2007323807.tif 000006
【図５】
2007323807.tif 000007